(57)【要約】【課題】ゴルフクラブヘッドのクリーナーの提供。【解決手段】本考案のゴルフクラブヘッドのクリーナーは、ゴルフクラブヘッド専用のクリーナーであって、クラブヘッドに付着した泥、砂、草を快速に除去する功能を有する。本案の目的は、ゴルフプレイの前中後に、完全で理想的なゴルフヘッド洗浄を提供する。特に、公知の布により拭き取ることで、ヘッドの紋槽に泥や土が入り込む公知の問題を解決する。【選択図】    図２
0003128356.tif 000002
【実用新案登録請求の範囲】
【請求項１】
ゴルフクラブヘッドクリーナーであって、全体は桶体であり、外縁面に制御スイッチを設置し、内部主体構造は、主に、頂部ブラシ、上蓋、動力ブラシ機構、モーター、中殻体、導風ファン、下蓋、及び、蓄電池の各素子から構成され、その特徴は、
前記頂部ブラシは、軟性で、且つ、対応するブラシ体を有し、前記上蓋上中槽の底承座内に配置され、第一ブラシを構成し、
前記上蓋は、中殻体上方に鎖固、或いは、螺固され、前記底承座の中槽を有し、中に嵌固、或いは、鎖固され、
前記動力ブラシ機構は、動力ブラシ、主軸、上中隔保護板、主摩擦輪、受動摩擦輪、及び、下中隔保護板から構成され、前記主摩擦輪は、前記モーター主軸上に配置され、接触の圧力性の摩擦が、前記受動摩擦輪を帯動し、前記受動摩擦輪の主軸は前記動力ブラシの中軸孔内に設置され、上ナットにより鎖固され、前記主軸下方に、スリーブとベアリングにより、上中隔保護板、受動摩擦輪、下中隔保護板、孔、軸孔が軸接され、この他、前記上中隔保護板と前記下中隔板は鎖合して対応形態をなし、側縁に設けられた数個の対応する鎖座は、前記中殻体底部のフレーム上に鎖定され、同時に、鎖合する中隔保護板と下中隔保護板両者が形成する両辺の空槽により、ブラッシングにより落下した砂、泥、雑物は、前記空槽を経て排出され、
前記モーターは、前記動力ブラシ機構と前記中殻体の弧形底隔槽の間に配置され、前記蓄電池により供給される電力を受け、モーター主軸は、前記動力ブラシ機構中の前記主摩擦輪と接合され、
前記中殻体は、頂部が上蓋から鎖合し、底部のフレームで前記上下中隔保護板を鎖定し、底部に弧形の底隔槽を有し、
前記導風ファンは、前記モーターの主軸底部に配置され、前記モーターの旋転により帯動し、風力を前記下蓋に導向させ、
前記下蓋は、前記中殻体の底部に鎖固、或いは、螺接され、内縁面は数個の排風片を有し、前記各排風片の尾端は、対応する排出口を設置し、
前記蓄電池は、前記中殻体側向けから一体成型の電池殻により包覆され、前記蓄電池は、車用、或いは、家庭用電気により充電でき、モーター旋転の動力を提供することを特徴とするゴルフクラブヘッドクリーナー。
【請求項２】
前記動力ブラシ機構中の摩擦輪構造形態は、皮ベルト輪の帯動方式により同等の効果を達成することができることを特徴とする請求項１に記載のゴルフクラブヘッドクリーナー。
【請求項３】
前記動力ブラシ機構中の動力ブラシは、底ブラシを配置し、更に好ましいブラッシング効果を達成することを特徴とする請求項１に記載のゴルフクラブヘッドクリーナー。
【請求項４】
前記下蓋素子は、単純な収納蓋体で、砂、泥、埃、雑物を収容することを特徴とする請求項１に記載のゴルフクラブヘッドクリーナー。
【考案の詳細な説明】
【技術分野】
【０００１】
本考案は ゴルフクラブヘッドクリーナーに関し、詳細には、ヘッドに付着した泥や埃を快速に除去することができ、クラブバッグに掛置したり、プレーヤーが携帯するのに便利で、クラブを随時清潔にすることができるゴルフクラブヘッドクリーナーに関する。
【背景技術】
【０００２】
ゴルフを楽しむ者は、一般の状況下では、ゴルフバッグを運ぶことや、クラブの手渡し等、キャディによるサービスを受け、ゴルフボールを打った後、ヘッド上には泥、砂、埃、或いは、草や雑物が付着し、この時、キャディにより処理される。この処理方式は布により拭くものであり、人によっては、ブラシを携帯して処理する。ゴルフクラブ中、アイアンは、ヘッド表面に横紋を施す設計で、打撃時の制球能力を高めている。よって、このアイアンの処理は、布により拭く場合、紋槽内に泥や埃が残留する可能性があり、制球能力が不良になる。
【０００３】
また、公知技術では、ブラシにより、ゴルフクラブヘッドに付着した泥や砂、埃を振り落とすものであるが、この際に、埃が飛び散って、周辺や衣服に飛び散り、不快感を与える。更に、キャディによるサービスが受けられない状況下で、ブラシの持ち運びも面倒である。
【考案の開示】
【考案が解決しようとする課題】
【０００４】
本考案は、打撃毎にヘッドに付着した泥や埃を快速に除去する以外に、除去時に生じる不便さを改善し、また、携帯に便利で、地形、時間、天候等の要素による影響を受けないゴルフクラブヘッドクリーナーを提供することを目的とする。
【課題を解決するための手段】
【０００５】
本考案のゴルフクラブヘッドクリーナーは、全体は桶体であり、外縁面に制御スイッチを設置し、内部主体構造は、主に、頂部ブラシ、上蓋、動力ブラシ機構、モーター、中殻体、導風ファン、下蓋、及び、蓄電池の各素子から構成される。
【考案の効果】
【０００６】
本考案の設計により、以下のような長所を得る。
１．  
ブラシが、付着した泥、砂、土、草をクリーナー内でブラッシングして落とし、徹底した洗浄が可能である。
２．  
動力ブラシが旋転時、クラブ全体に接触するので、全面的な洗浄が可能である。
３．  
摩擦輪動力形態により動力ブラシを帯動し、不当な抵抗が釈放され、運転騒音が最低に減少され、安定、静音効果が得られる。
４．  
導風ファンによりモータを冷却する以外に、導風ファンの風力運行と導引により、ブラシの泥、砂、或いは、塵は風力による排風引導で、高速排出され、機体内部を清潔に保ち、効果的に、メンテナンスが行える。
【考案を実施するための最良の形態】
【０００７】
図１、図２で示されるように、本考案のゴルフクラブヘッドクリーナー（１）全体は桶体であり、桶体外縁面に制御スイッチ（１０）を設置し、押圧方式により運転と停止を実行する。本案の主体構造は、主に、頂部ブラシ（１１）、上蓋（１２）、動力ブラシ機構（１３）、モーター（１４）、中殻体（１５）、導風ファン（１６）、下蓋（１７）、及び、蓄電池（１８）の各素子から構成される。上蓋（１２）は、中殻体上方に鎖固、或いは、螺固されて、中殻体の蓋体構造となり、内部の動力ブラシの清掃と交換に便利である。次に、上蓋（１２）面に中槽（１２１）、中槽（１２１）底縁両辺の承座（１２２）を有し、対応する頂部ブラシ（１１）をその上に設置して、第一ブラシを構成し、効果的にヘッドに付着した泥、砂、草を排除する。
【０００８】
図２で示されるように、動力ブラシ機構（１３）細部素子は、動力ブラシ（１３１）、主軸（１３２）、上中隔保護板（１３３）、主摩擦輪（１３４）、受動摩擦輪（１３５）、及び、下中隔保護板（１３６）から構成される。主摩擦輪（１３４）は、モーター（１４）主軸上に配置され、蓄電池（１８）により電力を供給され、主摩擦輪（１３４）により圧力性の摩擦が、受動摩擦輪（１３５）を帯動し、旋転動力実施を達成する。次に、主軸（１３２）は動力ブラシ（１３１）の中軸孔（１３１１）内に設置され、上ナット（１３１２）により鎖固される。これにより、主軸（１３２）を旋転の中心点とし、動力ブラシ（１３１）が回転してブラッシングする。主軸（１３２）下方に、それぞれ、スリーブ（１３２１）とベアリング（１３２２）により、上中隔保護板（１３３）、受動摩擦輪（１３５）、下中隔保護板（１３６）、孔（１３３−１、１３６−１）、軸孔（１３５１）が軸接され、主軸（１３２）と受動摩擦輪（１３５）両者は、動力ブラシ（１３１）を帯動し、動力ブラシ（１３１）が挟着性のブラッシング形態と機能を生成する。
【０００９】
図２と図３を参照すると、上中隔保護板（１３３）と下中隔保護板（１３６）両者は、鎖合、対応形態で、側縁の対応する鎖座（１３３−２、１３６−２）により中殻体（１５）底部のフレーム（１５１）上に鎖定され、受動摩擦輪（１３５）と主摩擦輪（１３４）に保護効果を達成する以外に、泥、砂、草の侵入を防止する。同時に、鎖合する中隔保護板（１３３）と下中隔保護板（１３６）両者が形成する両辺の空槽（１３３０）により、ブラッシングにより落下した砂、泥、雑物は、空槽（１３３０）を経て、中殻体の弧形底隔槽（１５２）を通過し、モーター（１４）主軸底部の導風ファン（１６）により導引されて、更に、下蓋（１７）内縁面に数片の排風片（１７１）を有し、砂、泥、雑物を、排風片（１７１）尾端の対応する排出口（１７２）から排出する。
【００１０】
図３で示されるように、中殻体（１５）側向きの位置上は一体成型の電池殻（１８１）で、その中に、充電式蓄電池（１８）を配置し、蓄電池（１８）は、車用、或いは、家庭用電気で充電でき、モーターの旋転動力を提供する。
【００１１】
図４で示されるように、本案のもう一つの実施例は、動力ブラシ機構（１３）中、主摩擦輪（１３４）と受動摩擦輪（１３５）の構造形式を、能動皮ベルト輪（１３７）と受動皮ベルト輪（１３８）に変更して、動力ブラシ（１３１）を帯動する。且つ、能動皮ベルト（１３７）の主軸は、底ブラシ（１３９）を合わせた設計で、更に理想的なブラッシング効果を達成する。
【００１２】
最後に、本考案の精神と原則を変更しない下、下蓋（１７）は、中殻体（１５）の底部に嵌合、或いは、螺合し、単純な収納蓋体を有し、砂、泥、埃、雑物を収容し、本案をゴルフクラブバッグの外側に配置できるようにして、携帯使用に便利である。
【図面の簡単な説明】
【００１３】
【図１】本考案の好ましい実施例による全体の外観構造図である。
【図２】本考案の各部素子の分解構造図である。
【図３】本考案の全体断面図である。
【図４】本考案のもう一つの全体断面図である。
【符号の説明】
【００１４】
１        ゴルフクラブヘッドクリーナー
１０      制御スイッチ
１１      頂部ブラシ
１２      上蓋
１２１    中槽
１２２    承座
１３      動力ブラシ機構
１３１    動力ブラシ
１３１１  中軸孔
１３１２  上ナット
１３２    主軸
１３２１  スリーブ
１３２２  ベアリング
１３３    上中隔保護板
１３３０    空槽
１３３−１  孔
１３３−２  鎖座
１３４      主摩擦輪
１３５      受動摩擦輪
１３５１    軸孔
１３６      下中隔保護板
１３６−１  孔
１３６−２  鎖座
１４        モーター
１５        中殻体
１５１      フレーム
１５２      弧形底隔槽
１６        導風ファン
１７        下蓋
１７１      排風片
１７２      排出口
１８        蓄電池
１８１      電池殻
１３７      能動皮ベルト輪
１３８      受動皮ベルト輪
１３９      底ブラシ
【図１】
0003128356.tif 000003
【図２】
0003128356.tif 000004
【図３】
0003128356.tif 000005
【図４】
0003128356.tif 000006